(57)【要約】【課題】  ユーザがスタートキーの操作を誤っても、画像処理装置が誤動作せず、また、ユーザが行う印刷がカラーであるのか、モノクロであるのかを、ユーザに理解させることができ、したがって、誤動作を生じさせない画像処理装置を提供することを目的とするものである。【解決手段】  カラースタートキーやモノクロスタートキーを押下したときに、上記押下したスタートキーを使用できなければ、使用できない旨を表示部に表示し、また、明らかに別のスタートキーを押下すべきであると判断できる場合には、適切なスタートキーを押下するように表示する画像処理装置である。【選択図】  図１
2005217495.tif 000002
【特許請求の範囲】
【請求項１】
原稿を読み取る読取手段と；
印刷する印刷手段と；
操作する操作手段と；
画像処理と関連付けられている印刷開始手段と；
上記印刷開始手段が有効でないときに、上記印刷開始手段をユーザが押下すると、上記印刷開始手段を使用することができないことを表示する表示手段と；
を有することを特徴とする画像処理装置。
【請求項２】
請求項１において、
上記印刷開始手段が押下されていないときは、写真印刷モードであることを特徴とする画像処理装置。
【請求項３】
請求項１において、
上記印刷開始手段は、第１の印刷開始手段と第２の印刷開始手段とであり、
印刷がエラーによって中断され、ユーザの操作によって復帰することができる復帰手段を持ち、上記第１の印刷開始手段によって開始された印刷が中断し、復帰する際に、上記第１の印刷開始手段によって復帰操作し、上記第１の印刷開始手段以外の印刷開始手段を、ユーザが操作した際に、ユーザが行った手段は無効であることを、上記表示手段に表示することを特徴とする画像処理装置。
【請求項４】
請求項１において、
複数の原稿を１つの原稿にレイアウトして印刷する場合、上記読取部が上記複数の原稿を読み取る際に、上記印刷開始手段によって次原稿の読取を開始し、
印刷開始時にユーザが行った印刷開始手段以外の印刷開始手段が、次原稿の読取開始で使用されたら、上記印刷開始時にユーザが行った印刷開始手段以外の印刷開始手段を使用できないことを、上記表示手段に表示することを特徴とする画像処理装置。
【請求項５】
請求項１において、
上記読取部が複数の原稿を読み取る際に、上記印刷開始手段によって、次原稿の読取を開始し、
印刷開始時にユーザが行った印刷開始手段以外の印刷開始手段が、次原稿の読取開始で使用されたら、上記印刷開始時にユーザが行った印刷開始手段以外の印刷開始手段を使用できないことを、上記表示手段に表示することを特徴とする画像処理装置。
【請求項６】
請求項１〜請求項５のいずれか１項において、
正しい印刷開始手段を押下することを促す旨を、上記表示部に表示することを特徴とする画像処理装置。
【発明の詳細な説明】
【技術分野】
【０００１】
本発明は、画像処理装置に関する。
【背景技術】
【０００２】
近年、プリンタ技術の発展に伴い、家庭用プリンタが発展し、上記発展の一例として、読取部を有する家庭用プリンタが登場している。つまり、複写機能、スキャナ機能、ファクシミリ機能の他に、メモリカード等の挿入口を搭載し、この挿入口に、メモリカードを挿入すれば、メモリカードに格納されているデジタルカメラの画像を印刷することができ、このようにデジタルカメラを直接接続することによって、デジタルカメラダイレクト印刷の機能を発揮することができる。
【０００３】
また、上記発展の別の例として、カラー印刷することができる家庭用プリンタが登場し、家庭用プリンタにおいても、コピーはモノクロだけでなく、カラーも必須となりつつある。カラーコピーは、まだ比較的高価であり、家庭にはあまり普及していないが、家庭向け複合機などでは、カラーの複写機能を有するので、その普及の原動力となっている。このために、カラーの印刷の需要が増えている。
【０００４】
この場合、実際に印刷するに際して、カラー印刷するのか、モノクロ印刷するのかということが問題になる。特に、複数の原稿を読み取って印刷を行う際に、複数の原稿にはモノクロ原稿とカラー原稿とが混在している場合もあるので、印刷処理として、カラー印刷するのか、モノクロ印刷するのかが、わかりにくい状況が存在することがある。
【０００５】
そこで、読取時に、カラー印刷するのか、モノクロ印刷するのかを判断し、自動的に処理を設定する方法が知られている（たとえば、特許文献１参照）。
【特許文献１】特開平９−１３８６０８号公報
【発明の開示】
【発明が解決しようとする課題】
【０００６】
しかし、上記従来例では、読取時に原稿がカラーであるのか、モノクロであるかのを判断する判断手段を設ける必要があり、家庭向け複合機においては、コスト的には、上記判断手段を搭載することが困難であるという問題がある。
【０００７】
本発明は、ユーザがスタートキーの操作を誤っても、画像処理装置が誤動作せず、また、ユーザが行う印刷がカラーであるのか、モノクロであるのかを、ユーザに理解させることができ、したがって、誤動作を生じさせない画像処理装置を提供することを目的とするものである。
【課題を解決するための手段】
【０００８】
本発明は、カラースタートキーやモノクロスタートキーを押下したときに、上記押下したスタートキーを使用できなければ、使用できない旨を表示部に表示し、また、明らかに別のスタートキーを押下すべきであると判断できる場合には、適切なスタートキーを押下するように表示する画像処理装置である。
【発明の効果】
【０００９】
本発明によれば、ユーザが誤ったスタートキーを押下すると、上記誤って押下したスタートキーによる入力を拒否し、正しいスタートキーを押下することを、ユーザに示唆するので、ユーザがスタートキーの操作を誤っても、画像処理装置が誤動作しないという効果を奏し、また、どのスタートキーを使用するのかをユーザに明確に表示するので、ユーザが行う印刷がカラーであるのか、モノクロであるのかを、ユーザに理解させることができ、したがって、誤動作を生じさせないという効果を奏する。
【発明を実施するための最良の形態】
【００１０】
発明を実施するための最良の形態は、次の実施例である。
【実施例１】
【００１１】
図１は、本発明の実施例１である画像処理システムを構成する画像処理装置１００の構成を示すブロック図である。
【００１２】
画像処理装置１００は、ＣＰＵ１０１と、ＲＯＭ１０２と、ＲＡＭ１０３と、画像メモリ１０４と、データ変換部１０５と、読取制御部１０６と、読取部１０７と、操作表示部１０８と、通信制御部１０９と、解像度変換処理部１１０と、符号復号化処理部１１１と、記録制御部１１２と、記録部１１３と、ＵＳＢホスト制御部１１４と、ＵＳＢファンクション制御部１１５と、データ蓄積部１１６と、デジタルカメラ１１７と、メモリカード１１８とを有する。
【００１３】
ＣＰＵ１０１は、システム制御部であり、画像処理装置１００の全体を制御する。
【００１４】
ＲＯＭ１０２は、ＣＰＵ１０１が実行する制御プログラムや組み込みオペレーティングシステム（ＯＳ）プログラム等を格納する。実施例１では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１５】
ＲＡＭ１０３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００１６】
画像メモリ１０４は、ＤＲＡＭ（ｄｙｎａｍｉｃ  ＲＡＭ）等で構成され、画像データを蓄積する。
【００１７】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００１８】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、実施例１では、読取制御部１０６は、原稿を搬送しながら読み取りを行うシート読取制御方式と、原稿台にある原稿をスキャンするブック読取制御方式の両制御方式に対応している。
【００１９】
操作表示部１０８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）とＬＣＤ（液晶ディスプレイ）等によって構成され、オペレータによる各種入力操作や、画像処理装置１００の動作状況、ステータス状況の表示等を行う表示部である。
【００２０】
通信制御部１０９は、ＭＯＤＥＭ（変復調装置）や、ＮＣＵ（網制御装置）等によって構成され、アナログの通信回線（ＰＳＴＮ）１３１に接続され、Ｔ３０プロトコルでの通信制御、通信回線に対する発呼と着呼等の回線制御を行う。
【００２１】
解像度変換処理部１１０は、画像データのミリ−インチ解像度変換等の解像度変換制御を行い、画像データの拡大縮小処理を行うことができる。
【００２２】
符号復号化処理部１１１は、画像処理装置１００で扱う画像データ（ＭＨ、ＭＲ、ＭＭＲ、ＪＢＩＧ、ＪＰＥＧ等）を、符号復号化処理し、また、拡大縮小処理を行う。
【００２３】
記録制御部１１２は、図示しない画像処理制御部を介して、印刷される画像データに、スムージング処理や、記録濃度補正処理、色補正等の各種画像処理を施し、高精細な画像データに変換し、ＵＳＢホスト制御部１１４に出力する。また、ＵＳＢホスト制御部１１４を制御することによって、記録部１１３の状態情報データを、定期的に取得する。
【００２４】
記録部１１３は、レーザビームプリンタやインクジェットプリンタ等によって構成されている印刷装置であり、カラー画像データ、またはモノクロ画像データを印刷部材に印刷する。ＵＳＢホスト制御部１１４との間で、ＵＳＢ通信規格で定められたプロトコルで通信し、特に、ファンクションの機能を有する。
【００２５】
ＵＳＢホスト制御部１１４は、ＵＳＢ通信規格で定められているプロトコルで通信する制御部である。ＵＳＢ通信規格は、双方向のデータ通信を高速に行うことができる規格であり、１台のホスト（マスタ）に、複数のハブまたはファンクション（スレーブ）を接続することができる。ＵＳＢホスト制御部１１４は、ＵＳＢ通信におけるホストの機能を有する。
【００２６】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行ったり、逆に、外部の情報処理端末からのＵＳＢパケットを、データに変換し、ＣＰＵ１０１に送信する。
【００２７】
データ蓄積部１１６は、データを蓄積する領域である。画像メモリ１０４でのＤＲＡＭでは、データバックアップ用の領域を用意していないので、実施例１ではデータ蓄積部としてデータ保存領域を用意している。また、データ蓄積部１１６は、画像メモリ１０４と共有する場合もある。データ蓄積部１１６に、データをバックアップすることができる。実施例１では、ＤＲＡＭを用いているが、ＤＲＡＭの代わりに、ハードディスクや揮発性メモリ等を使用するようにしてもよい。
【００２８】
デジタルカメラ１１７は、レンズを介して撮影した画像を、デジタルデータとして保存するカメラであり、ＵＳＢファンクション制御部１１５と接続することができ、通信を行うことによって、画像処理装置１００との間でデータのやり取りができる。
【００２９】
メモリカード１１８は、データ記憶媒体であり、画像処理装置１００に接続することができる。メモリカード１１８をＰＣＭＣＩＡのインタフェースで接続するようにしてもよく、ＰＣＭＣＩＡのインタフェース以外のインタフェースで接続するようにしてもよい。また、UＳＢファンクション制御部１１５を通して、メモリカード１１８内のデータ（画像データやその他電子データ）にアクセスすることができる。
【００３０】
実施例１においては、記録機能のＵＳＢ通信は、１対１の接続形態を用いる。
【００３１】
上記構成要素１０１〜１０６、１０８〜１１４は、ＣＰＵ１０１が管理するＣＰＵバス１２１を介して、相互に接続されている。
【００３２】
次に、画像処理装置１００における操作表示部１０８の具体例について説明する。
【００３３】
図２は、画像処理装置１００における操作表示部１０８の具体例を示す図である。
【００３４】
操作表示部１０８は、ＬＣＤ２０１と、電源キー２０２と、コピーモードキー２０３と、ファックスモードキー２０４と、スキャンモードキー２０５と、フォトモードキー２０６と、メニューキー２０７と、ユーザ設定キー２０８と、フォトインデックスシートキー２０９と、マイナスキー２１０と、プラスキー２１１と、セットキー２１２と、電話帳キー２１３と、リダイアルキー２１４と、テンキー２１５と、ＳＴＯＰキー２１６と、モノクロスタートキー２１７と、カラースタートキー２１８とを有する。
【００３５】
ＬＣＤディスプレイ２０１は、メッセージやオペレーションプロンプト、各種情報を表示するディスプレイである。
【００３６】
電源キー２０２は、画像処理装置１００の電源をＯＮ／ＯＦＦするためのキーである。
【００３７】
コピーモードキー２０３は、画像処理装置１００を、コピーできる状態にするキーであり、つまり、コピーモードキー２０３を押下することによって、画像処理装置１００をコピーモードにすることができる。
【００３８】
ファックスモードキー２０４は、画像処理装置１００を、ファックスできる状態にするキーであり、ファックスモードキー２０４を押下することによって、画像処理装置１００をファックスモードにすることができる。
【００３９】
スキャンモードキー２０５は、画像処理装置１００を、スキャンできる状態にするキーであり、スキャンモードキー２０５を押下することによって、画像処理装置１００を、ファックスモードにすることができる。
【００４０】
フォトモードキー２０６は、画像処理装置１００を、デジタル写真のカードやカメラからダイレクト印刷ができる状態にするキーであり、フォトモードキー２０６を押下することによって、画像処理装置１００を、フォトモードにすることができる。
【００４１】
メニューキー２０７は、コピーやファックス、カードからのダイレクト印刷などを実行するときにおける設定値を、設定する項目を表示させるキーであり、メニューキー２０７を押下することによって、実行用の設定項目を、ＬＣＤ２０１に表示させることができ、プラスキー２１１やマイナスキー２１０などで選択し、セットキー２１２によって、セットすることができる。
【００４２】
ユーザ設定キー２０８は、画像処理装置１００に設定する設定値を、ユーザが登録するための画面を表示するキーであり、ユーザ設定キー２０８を押下することによって、ユーザ設定項目を、ＬＣＤ２０１に表示することができ、プラスキー２１１やマイナスキー２１０などで選択し、セットキー２１２によって、セットすることができる。
【００４３】
フォトインデックスシートキー２０９は、フォトインデックスシートを印刷または読取するための画面に移行するキーであり、画像処理装置１００にメモリカード１１８が挿入された状態で、フォトインデックスシートキー２０９が押下されると、フォトインデックスシートの印刷、または読取を指示する画面に移行する。プラスキー２１１やマイナスキー２１０などで読取か印刷かを選択し、セットキー２１２によって、セットすることができる。なお、フォトインデックスシートの詳細について、図３で説明する。
【００４４】
マイナスキー２１０、プラスキー２１１は、メニューやユーザ登録など、ユーザが複数の選択肢から選択を行う際に使用されるキーである。マイナス、プラスは、それぞれ逆順、正順である。
【００４５】
セットキー２１２は、選択された項目を、決定するキーである。
【００４６】
電話帳キー２１３は、電話帳に登録された電話番号を呼び出すためのキーである。
【００４７】
リダイアルキー２１４は、これを押すことによって、最後にダイヤルした相手先へ再発呼するキーである。
【００４８】
テンキー２１５は、電話番号、ファクシミリ番号や相手先名称等の登録や、コピー部数やダイヤルをするときに使用するキー群である。
【００４９】
ＳＴＯＰキー２１６は、ファクシミリ送受信、コピーやその他のオペレーション操作を停止させるキーである。
【００５０】
モノクロスタートキー２１７は、白黒ファクシミリ送信、白黒コピーなどを開始するキーである。
【００５１】
カラースタートキー２１８は、カラーファクシミリ送信、カラーコピー、カラー写真印刷などを開始するキーである。
【００５２】
次に、実施例１の動作について説明する。
【００５３】
図３は、実施例１におけるユーザの操作を示すフローチャートである。
【００５４】
ユーザが画像処理装置１００（複合機）を操作すると、画像処理装置１００は、それぞれの動作を行う。特に、画像処理装置１００が複数の機能を備えているので、それらの機能を切り替える必要がある。
【００５５】
まず、Ｓ３０１では、各動作モード（各機能）における初期設定を行う。この初期設定によって、各モードの初期設定値が入る。実施例１では、動作の度に初期化を行う。Ｓ３０２では、現在のモードを設定する。もし、現在のモードがコピーであれば、Ｓ３０３で、操作表示部１０８にコピーモードの待機画面を表示させる。次に、Ｓ３０４では、キー入力されたかどうかを判断する。キー入力がされなければ、再びＳ３０３に戻る。キー入力がされていれば、Ｓ３０５で、そのキーがモード変換キーであるかどうかを判断する。
【００５６】
モード変換キーであれば、押下されたモードに変更し、Ｓ３０１に戻る。モード変換キーでなければ、Ｓ３０６で、キーに応じた操作を行う。この詳細については、図４で述べる。そして、上記キーに応じた操作を終了すると、Ｓ３０３へ戻る。
【００５７】
次に、Ｓ３０２において、現在のモードがファクシミリモードであれば、Ｓ３０７で、操作表示部１０８に、ファクシミリモードの待機画面を表示させる。次に、Ｓ３０８では、キー入力されたかどうかを判断し、キー入力されなければ、再びＳ３０７に戻る。キー入力されれば、Ｓ３０９で、そのキーがモード変換キーであるかどうかを判断し、モード変換キーであれば、押下されたモードに変更し、Ｓ３０１に戻る。モード変換キーでなければ、Ｓ３１０で、キーに応じた操作を行う。このキーに応じた操作の詳細については、図６で説明する。そして、キーに応じた操作を実行したら（Ｓ３１０）、Ｓ３０７へ戻る。
【００５８】
次に、現在のモードがスキャンモードであれば（Ｓ３０２）、Ｓ３１１で、操作表示部１０８にスキャンモードの待機画面を表示させる。次に、Ｓ３１２では、モードキーが入力されたかどうかを判断し、モードキーが入力されなければ、再びＳ３１１に戻る。モードキー入力がされたら（Ｓ３１２）、押下されたモードに変更し、Ｓ３０１に戻る。実施例１では、スキャンする場合、操作表示部１０８において、モードキー以外で操作することができないので、通常のキー入力は受け付けていないが、通常のキー入力によってスキャンするようにしてもよい。
【００５９】
次に、現在のモードが写真印刷モードであれば（Ｓ３０２）、Ｓ３１３で、操作表示部１０８に、写真印刷モードの待機画面を表示させる。次に、Ｓ３１４では、キー入力されたかどうかを判断し、キー入力がされなければ、再びＳ３１３に戻る。キー入力がされたら、Ｓ３１５で、そのキーがモード変換キーであるかどうかを判断し、モード変換キーであれば、押下されたモードに変更し、Ｓ３０１に戻る。モード変換キーでなければ、Ｓ３１６で、キーに応じた操作を行う。この詳細については、図７で述べる。そして、上記キーに応じた操作を終了すれば（Ｓ３１６）、Ｓ３１３へ移行する。
【００６０】
以上の方法によって、ユーザは、操作表示部１０８を操作し、画像処理装置１００を動作させることができる。
【００６１】
次に、実施例１におけるコピーの動作について説明する。
【００６２】
図４は、実施例１におけるコピーの動作を示すフローチャートである。
【００６３】
実施例１では、読取原稿２部を１部にコピーするコピー機能（２ｉｎ１コピー機能）を持っている。
【００６４】
まず、Ｓ４０１で、２ｉｎ１コピーが設定されているかどうかを判別する。２ｉｎ１設定がされていれば、Ｓ４０２で、２ｉｎ１のコピーを行う。２ｉｎ１のコピー（Ｓ４０２）については、図５で詳細に説明する。２ｉｎ１設定がされていなければ（Ｓ４０１）、Ｓ４０３で、キーの入力が何であるかを判別する。入力されたキーが、コピーのキーであれば、Ｓ４０４でコピーする。入力されたキーが、コピー設定のキーであれば、Ｓ４０５で、コピーの設定を行う。コピーの動作（Ｓ４０４）については、図８で、詳細に説明する。
【００６５】
以上のように実施例１においては、コピー動作を行うことができる。
【００６６】
なお、２ｉｎ１コピー機能の代わりに、読取原稿Ｎ部を１部にコピーするコピー機能（Ｎｉｎ１コピー機能）を持つようにしてもよい。
【００６７】
次に、実施例１における２ｉｎ１コピーする動作について説明する。
【００６８】
図５は、実施例１における２ｉｎ１コピーする動作を示すフローチャートである。
【００６９】
まず、Ｓ５０１において、２ｉｎ１の待機画面を表示する。Ｓ５０２では、スタートキーとして何が押下されたかを判別する。実施例１では、スタートキーとして、図２に示すように、モノクロスタートキー２１７とカラースタートキー２１８とがある。これらのうちのどちらが押下されたかを、Ｓ５０２で判別する。カラースタートキーが押下されたと判断されたら（Ｓ５０２）、Ｓ５０３で、読取制御部１０６が、読取部１０７にカラーで読み取りさせるように制御する。
【００７０】
次に、Ｓ５０４では、読み取りが終わっているかどうかを判別し、読み取りが終わらなければ、引き続き、読み取りする（Ｓ５０３）。読み取りが終了していれば（Ｓ５０４）、Ｓ５０７で、次ページの読取について判断するための画面を表示する。
【００７１】
一方、Ｓ５０２において、モノクロスタートキーが押下されれば、Ｓ５０５で、読取部１０７がモノクロで読み取りするように、読取制御部１０６が制御する。次に、Ｓ５０６では、読み取りが終わっているかどうかを判別する。読み取りが終わらなければ（Ｓ５０６）、引き続き、Ｓ５０５で、読み取りする。読み取りが終了していたら（Ｓ５０６）、次に、Ｓ５０７で、次ページの読取について判断するための画面を表示する。
【００７２】
Ｓ５０７では、２ｉｎ１のために、もう１枚原稿を読み取るか、それとも読取を終了するかを判別する。
【００７３】
次のページを読み取る際は、スタートキー２１７または２１８を押下し、印刷を始めるのであれば、ＳＥＴキー２１１を押下するように、操作表示部１０８に表示する。
【００７４】
表示を行ったら、次にＳ５０８において、表示に応じたキー押下を待つ。カラースタートキーが押下されたら、Ｓ５０９に進み、モノクロスターキーが押下されたら、Ｓ５１２に進み、ＳＥＴキーが押下されたら、Ｓ５１５に進み。
【００７５】
まず、Ｓ５０９では、１枚目の原稿、つまりＳ５０３またはＳ５０５において、カラーで読み取られたかどうかを判別する。１枚目原稿がカラーでなければ、カラースタートキーが無効になるので、Ｓ５１０において、モノクロスタートキーしか使用できないという表示を、操作表示部１０８が行い、Ｓ５０７に戻る。Ｓ５０９で、１枚目の原稿がカラーで読み取られていたら、Ｓ５１１において、カラーで読み取りする。そして、読み取りが終わったら、Ｓ５１５に進む。
【００７６】
一方、Ｓ５０８において、モノクロスタートキーが押下されていたら、Ｓ５１２で、１枚目の原稿が、モノクロで読み取られたかどうかを判別する。１枚目原稿がモノクロでなければ、モノクロスタートキーが無効であるので、Ｓ５１３では、「カラースタートキーしか使用できない」旨を、操作表示部１０８が表示し、Ｓ５０７に戻る。Ｓ５１２で、１枚目の原稿がモノクロで読み取られていれば、Ｓ５１４では、モノクロで読み取り、読み取りが終われば、Ｓ５１５で、画像処理する。
【００７７】
また、ＳＥＴキーが押下されたら（Ｓ５０８）、Ｓ５１５で、読み取った原稿に画像処理を行う。ここで、画像処理を行い、読取原稿を正しく印刷範囲に入るように、縮小、回転する。次に、画像処理したデータを、Ｓ５１６で印刷する。以上のようにして２ｉｎ１コピーが実現される。
【００７８】
上記のようにすることによって、２ｉｎ１時に、１枚目の読取原稿を、読取方法と違うスタートキーが押下されると、「そのスタートキーを使用できない」旨を表示し、別のキーを押下するように示唆することができる。これによって、ユーザは、正しいキーを押下することができるので、読取時に、読取方法が何であるかを、ユーザに明確にすることができる。
【００７９】
次に、実施例１におけるファクシミリ動作について説明する。
【００８０】
図６は、実施例１におけるファクシミリ動作を示すフローチャートである。
【００８１】
まず、Ｓ６０１において、ファクシミリの待機画面を表示し、Ｓ６０２では、スタートキーが何を押下されたかを判別する。実施例１では、スタートキーとして、図２に示すように、モノクロスタートキー２１７とカラースタートキー２１８とが存在している。このどちらが押下されたのかを、Ｓ６０２で判別する。カラースタートキーが押下されたと判断されたら（Ｓ６０２）、６０３では、読取部１０７がカラーで読み取るように、読取制御部１０６が制御する。
【００８２】
次に、Ｓ６０４において、読み取りが終わっているかどうかを判別する。読み取りが終わらなければ、引き続きＳ６０３において読み取りする。Ｓ６０４において、読み取りが終了していれば、Ｓ６０７で、次ページの読取について判断するための画面を表示する。
【００８３】
一方、Ｓ６０２において、モノクロスタートキーが押下されると、Ｓ６０５で、読取制御部１０６が制御し、読取部６０７が、モノクロで読み取る。次に、Ｓ６０６では、読み取りが終わっているかどうかを判別する。読み取りが終わらなければ、引き続きＳ６０５において、読み取る。Ｓ６０６において読み取りが終了していれば、Ｓ６０７で、次ページの読取に対して判断するための画面を表示する。
【００８４】
Ｓ６０７では、操作表示部１０８において次ページを読み取るか、または送信を開始するかを判別するために表示する。次ページを読み取るならば、スタートキーを押下し、送信するならば、ＳＥＴキーを押下することを促すように、表示する。
【００８５】
次に、Ｓ６０８において、ユーザがどのキーを押下したかを判断する。カラースタートキーが押下されたら、Ｓ６０９で、１枚目の原稿がカラー読取だったかどうかを判断する。カラーで読取ならば、Ｓ６０３で、カラー読み取りする。Ｓ６０９で、カラー読取でないと判断すれば、次に、Ｓ６１０で、「カラースタートキーしか使用できない」旨を表示し、Ｓ６０７に戻る。
【００８６】
モノクロスタートキーが押下されたら（Ｓ６０８）、Ｓ６１２で、１枚目の原稿がモノクロ読取だったかどうかを判断する。モノクロで読取ならば、Ｓ６０５で、モノクロで読み取る。Ｓ６１２で、モノクロ読取でないと判断すれば、次に、Ｓ６１３で、「モノクロスタートキーしか使用できない」旨を、表示し、Ｓ６０７に戻る。
【００８７】
また、Ｓ６０８で、ＳＥＴキーを押下したと判断したら、送信が選ばれたことになるので、Ｓ６１１で送信する。
【００８８】
上記のようにして、カラー送信、モノクロ送信であることを切り分け、カラー送信時にモノクロスタートキーが押下されたら、また、モノクロ送信時にカラースタートキーが押下されたら、「その押下されたキーが間違いであり、正しいキーを押下すること」を、表示する。
【００８９】
次に、実施例１における写真印刷動作について説明する。
【００９０】
図７は、実施例１における写真印刷動作を示すフローチャートである。
【００９１】
まず、Ｓ７０１において、カード内の画像情報を取得する。つまり、メモリカード内の画像の名前、サイズ等の情報を予め取得することによって、その後の処理を簡単にする。
【００９２】
次に、Ｓ７０２では、画像の情報をカードから全て取得したかどうかを判別する。情報をまだ取得しきれていなければ、Ｓ７０１で、情報を取得する。画像情報を全て取得したら（Ｓ７０２）、Ｓ７０３で、何キーが押下されているかを判別する。モノクロスタートキーが押下されていれば、Ｓ７０４で、「モノクロスタートキーは使用できない」旨を表示する。次に、Ｓ７０５で、「カラースタートキーを押下する」ことを促す旨を表示する。Ｓ７０３で、カラースタートキーが押下されたら、Ｓ７０６で、写真印刷する。またＳ７０３において、設定のキーが押下されたら、Ｓ７０７で、写真印刷を設定する。
【００９３】
以上のようにして写真印刷を行うことができる。そして、写真印刷するときに、モノクロスタートキーが押下された場合、カラーキーを押下するように、ユーザに示唆することができる。
【００９４】
次に、実施例１におけるスタンダードコピー動作について説明する。
【００９５】
図８は、実施例１におけるスタンダードコピー動作を示すフローチャートである。
【００９６】
Ｓ８０１で、コピー動作中の表示を行い、つまり、操作表示部１０８が、「コピー動作中」を表示する。次に、Ｓ８０２でコピー動作する。ここでは、コピー動作の詳細については触れないが、読取部１０７が原稿を読取り、読み取った原稿データをデータ変換部１０５を介して、記録部１１４が印刷する。コピー動作の次に、Ｓ８０３で、エラーがあるかどうかを判別する。
【００９７】
コピー中にインクが切れたり、紙がなくなったり、詰まったりするエラー等が、コピー中に発生することがあるので、エラーが無いかどうかを判別する。エラーが無ければ、Ｓ８０４で、コピー終了を判別する。ここで、コピーが終了でなければ、Ｓ８０２に戻り、引き続きコピー動作する。コピーが終了ならば、Ｓ８０５で、コピー終了処理を行い、コピー動作を終了する。
【００９８】
一方、Ｓ８０３で、エラーがあれば、Ｓ８０６で、コピーを中断し、Ｓ８０７で、発生しているエラーがリカバリ可能なエラーであるかどうかを判別する。ここで、「リカバリ可能なエラー」は、エラー内容を復帰することによって、中断したコピージョブを再開することができるエラーである。この対象となるエラーは、給紙無しエラーや、インク切れエラー等である。なお、給紙無しエラーや、インク切れエラー以外のエラーを、上記対象となるエラーと考えてもよい。
【００９９】
Ｓ８０７で、リカバリ可能でないと判別されると、Ｓ８０５に移行し、コピー終了する。一方、リカバリ可能なエラーであると判別されれば、Ｓ８０８で、リカバリ操作を実行する。リカバリ操作については、図９で詳細に説明する。そして、Ｓ８０８でリカバリ操作をしたら、Ｓ８０２で、再びコピー動作をし、先程中断したコピー動作を再開する。
【０１００】
以上の方法でコピーの動作を行う。
【０１０１】
次に、実施例１におけるコピーのリカバリ動作について説明する。
【０１０２】
図９は、実施例１におけるコピーのリカバリ動作を示すフローチャートである。
【０１０３】
まず、Ｓ９０１において、「エラーを取り除き、スタートキーを押下する」ことを促す旨を表示する。次に、Ｓ９０２では、スタートキーを押下されたかどうかを判別する。モノクロスタートキーが押下されていれば、Ｓ９０３で、現在モノクロコピーであるかどうかを判別する。現在モノクロコピーでなければ、Ｓ９０４で、「カラースタートキーを押下する」ように操作表示部１０８が表示し、再びＳ９０１に戻る。Ｓ９０３で、現在モノクロコピーであると判断されたら、Ｓ９０７で、コピーを中断した部数から、コピーを再開する。
【０１０４】
一方、Ｓ９０２で、カラースタートキーが押下されたら、Ｓ９０５で、現在カラーコピーであるかどうかを判断する。現在カラーコピーであれば、Ｓ９０７で、コピーを中断した部数からコピーを再開する。Ｓ９０５で、現在カラーコピーでないと判断されたら、Ｓ９０６で、「モノクロスタートキーを押下することを促す」ように、操作表示部１０８が表示する。そして、再びＳ９０１に戻る。
【０１０５】
以上の方法によって、実施例１では、リカバリコピー時のリカバリのキーとしてスタートキーを使われる際に、違う画像処理のスタートキーが押下されたら、上記違う画像処理のスタートキーを使用できず、正しいスタートキーを、ユーザに示唆することができる。
【０１０６】
上記実施例によれば、スタートキーに関して、間違った使用をユーザがした場合、操作表示部１０８が、「そのキーが使えないこと」を表示し、「正しいキーがなんであるか」を表示するので、低コストの画像処理装置においても、ユーザが、カラーとモノクロとの判別のユーザビリティを高めることができる。そして、複数のスタートキーを、ユーザが正しく操作し、正しい印刷を実行することができる。
【０１０７】
なお、上記実施例において、モノクロスタートキー２１７、カラースタートキー２１８は、画像処理と関連付けられている印刷開始手段の例である。また、上記実施例において、印刷開始手段を１つまたは３つ以上、設けるようにしてもよい。
【０１０８】
つまり、上記実施例は、原稿を読み取る読取手段と、印刷する印刷手段と、操作する操作手段と、画像処理と関連付けられている印刷開始手段と、上記印刷開始手段が有効でないときに、上記印刷開始手段をユーザが押下すると、上記印刷開始手段を使用することができないことを表示する表示手段とを有する画像処理装置の例である。
【図面の簡単な説明】
【０１０９】
【図１】本発明の実施例１である画像処理システムを構成する画像処理装置１００の構成を示すブロック図である。
【図２】画像処理装置１００における操作表示部１０８の具体例を示す図である。
【図３】実施例１におけるユーザの操作を示すフローチャートである。
【図４】実施例１におけるコピーの動作を示すフローチャートである。
【図５】実施例１における２ｉｎ１コピーする動作を示すフローチャートである。
【図６】実施例１におけるファクシミリ動作を示すフローチャートである。
【図７】実施例１における写真印刷動作を示すフローチャートである。
【図８】実施例１におけるスタンダードコピー動作を示すフローチャートである。
【図９】実施例１におけるコピーのリカバリ動作を示すフローチャートである。
【符号の説明】
【０１１０】
１００…画像処理装置、
１０１…ＣＰＵ、
１０２…ＲＯＭ、
１０３…ＲＡＭ、
１０４…画像メモリ、
１０５…データ変換部、
１０６…読取制御部、
１０７…読取部、
１０８…操作表示部、
１０９…通信制御部、
１１０…解像度変換処理部、
１１１…符号復号化処理部、
１１２…記録制御部、
１１３…記録部、
１１４…ＵＳＢホスト制御部、
１１５…ＵＳＢファンクション制御部、
１１６…データ蓄積部、
１１７…デジタルカメラ、
１１８…メモリカード。
【図１】
2005217495.tif 000003
【図２】
2005217495.tif 000004
【図３】
2005217495.tif 000005
【図４】
2005217495.tif 000006
【図５】
2005217495.tif 000007
【図６】
2005217495.tif 000008
【図７】
2005217495.tif 000009
【図８】
2005217495.tif 000010
【図９】
2005217495.tif 000011